(57)【要約】【課題】板状部分にアンテナを内蔵する化粧板を備えたアンテナ装置において、複数の周波数帯域への対応を可能としつつ、板状部分の構成の簡易化を図る。【解決手段】車両窓枠に装着される化粧板（２）と、互いに異なる複数の周波数帯域を動作帯域とするアンテナであって、化粧板（２）の板状部分（２ａ）に内蔵されるアンテナ（３）と、上記複数の周波数帯域の信号の共通伝送路である１本の同軸ケーブルであって、少なくとも一部が板状部分（２ａ）に内蔵される同軸ケーブル（４）と、同軸ケーブル（４）からの複数の周波数帯域の信号を互いに周波数帯域の異なる２以上の信号に分離する信号分離回路であって、化粧板（２）と別体であるか、又は、化粧板（２）の板状部分以外の部分（２ｂ）に内蔵されている信号分離回路（５）と、を備える。【選択図】図３
2016111573.tif 000002
【特許請求の範囲】
【請求項１】
車両窓枠に装着される化粧板と、
互いに異なる複数の周波数帯域を動作帯域とするアンテナであって、上記化粧板の板状部分に内蔵されるアンテナと、
上記複数の周波数帯域の信号の共通伝送路である１本の同軸ケーブルであって、少なくとも一部が上記板状部分に内蔵される同軸ケーブルと、
上記同軸ケーブルからの複数の周波数帯域の信号を互いに周波数帯域の異なる２以上の信号に分離する信号分離回路であって、上記化粧板と別体であるか、又は、上記化粧板の上記板状部分以外の部分に内蔵されている信号分離回路と、を備えることを特徴とするアンテナ装置。
【請求項２】
上記化粧板の上記板状部分以外の部分に、上記同軸ケーブルに装着されたバランが内蔵されていることを特徴とする請求項１記載のアンテナ装置。
【請求項３】
上記信号分離回路は、通信用の周波数帯域の信号を選択的に通過させる通信用回路と、放送用の周波数帯域の信号を選択的に通過させ、かつ増幅する放送用回路とを含むことを特徴とする請求項１または２記載のアンテナ装置。
【請求項４】
上記信号分離回路は、第１放送用の周波数帯域の信号を選択的に通過させ、かつ増幅する第１放送用回路と、第２放送用の周波数帯域の信号を選択的に通過させ、かつ増幅する第２放送用回路とを含むことを特徴とする請求項１または２記載のアンテナ装置。
【請求項５】
上記通信用回路および他装置の接続と、上記放送用回路および他装置の接続とが１本の中継ケーブルで行われることを特徴とする請求項３記載のアンテナ装置。
【請求項６】
上記第１放送用回路および他装置の接続と、上記第２放送用回路および他装置の接続とが１本の中継ケーブルで行われることを特徴とする請求項４記載のアンテナ装置。
【請求項７】
上記信号分離回路は、通信用の周波数帯域の信号を選択的に通過させる通信用回路と、第１放送用の周波数帯域の信号を選択的に通過させ、かつ増幅する第１放送用回路と、第２放送用の周波数帯域の信号を選択的に通過させ、かつ増幅する第２放送用回路とを含むことを特徴とする請求項１または２記載のアンテナ装置。
【請求項８】
上記通信用回路および他装置の接続と、上記第１放送用回路および他装置の接続と、上記第２放送用回路および他装置の接続とが１本の中継ケーブルで行われることを特徴とする請求項７記載のアンテナ装置。
【請求項９】
上記通信用回路および他装置の接続が１本の中継ケーブルで行われ、上記第１放送用回路および他装置の接続と、上記第２放送用回路および他装置の接続とが別の１本の中継ケーブルで行われることを特徴とする請求項７記載のアンテナ装置。
【請求項１０】
上記放送用回路は、上記１本の中継ケーブルからの放送用の周波数帯域以外の信号を遮断することを特徴とする請求項５記載のアンテナ装置。
【請求項１１】
上記第１放送用回路は、上記１本の中継ケーブルからの第１放送用の周波数帯域以外の信号を遮断し、上記第２放送用回路は、上記１本の中継ケーブルからの第２放送用の周波数帯域以外の信号を遮断することを特徴とする請求項８記載のアンテナ装置。
【請求項１２】
上記通信用回路はフィルタ回路を含み、上記放送用回路はフィルタ回路とアンプ回路とを含むことを特徴とする請求項３または５に記載のアンテナ装置。
【請求項１３】
上記放送用回路は、アンプ回路と、アンプ回路の前段に設けられたフィルタ回路と、アンプ回路の後段に設けられたフィルタ回路とを含むことを特徴とする請求項１０に記載のアンテナ装置。
【請求項１４】
上記通信用回路には、上記アンテナからの下り方向とアンテナに向けての上り方向との双方向の入力が行われることを特徴とする請求項３、５、７〜１３のいずれか１項に記載のアンテナ装置。
【請求項１５】
上記信号分離回路は、上記化粧板と別体であることを特徴とする請求項１〜１４のいずれか１項に記載のアンテナ装置。
【請求項１６】
上記複数の周波数帯域の１つはＡＭ放送の周波数帯域であることを特徴とする請求項１〜１５のいずれか１項に記載のアンテナ装置。
【発明の詳細な説明】
【技術分野】
【０００１】
本発明は、例えば車両用のアンテナ装置に関する。
【背景技術】
【０００２】
車両等には、ラジオ、テレビ、ＧＰＳおよび各種通信端末装置等、多くの送受信装置と、これら送受信装置に接続されるアンテナ装置とが搭載されている。特許文献１には、車両窓枠用の化粧板の板状部分にアンテナを設ける構成が開示されている。
【先行技術文献】
【特許文献】
【０００３】
【特許文献１】特開２０１４−１７１０５９号公報（２０１４年９月１８日公開）
【発明の概要】
【発明が解決しようとする課題】
【０００４】
車載用のアンテナ装置には、複数の周波数帯域（例えば、ＬＴＥ等の通信用の周波数帯域およびラジオ等の放送用の周波数帯域）への対応が求められるが、板状部分に複数の周波数帯域に対応する複数のアンテナを別々に形成すると、アンテナに接続するケーブルも増えることになり、板状部分の構成が複雑になるという問題がある。
【０００５】
本発明の目的の１つは、板状部分にアンテナを内蔵する化粧板を備えたアンテナ装置において、複数の周波数帯域への対応を可能としつつ、板状部分の構成の簡易化を図ることにある。
【課題を解決するための手段】
【０００６】
本アンテナ装置は、車両窓枠に装着される化粧板と、互いに異なる複数の周波数帯域を動作帯域とするアンテナであって、上記化粧板の板状部分に内蔵されるアンテナと、上記複数の周波数帯域の信号の共通伝送路である１本の同軸ケーブルであって、少なくとも一部が上記板状部分に内蔵される同軸ケーブルと、上記同軸ケーブルからの複数の周波数帯域の信号を互いに周波数帯域の異なる２以上の信号に分離する信号分離回路であって、上記化粧板と別体であるか、又は、上記化粧板の上記板状部分以外の部分に内蔵されている信号分離回路と、を備えることを特徴とする。
【０００７】
上記構成によれば、アンテナおよび同軸ケーブルが１つずつで済むため、複数の周波数帯域への対応を可能としながら、複数のアンテナおよび複数の同軸ケーブルを設ける場合と比較して、板状部分の構成の簡易化を図ることができる。これにより、板状部分の成型およびその自動化が容易になる。
【０００８】
また、１つのアンテナを複数の周波数帯域で共通して用いるため、各周波数帯域あたりのアンテナ面積が広がり、上記の場合と比較して、各周波数帯域で感度を上げることができる。
【０００９】
なお、アンテナと同軸ケーブルとは、直接接続されていてもよいし、マイクロストリップ線路やコプレナー線路などの平面伝送路を介して接続されていてもよい。
【００１０】
本アンテナ装置では、上記化粧板の上記板状部分以外の部分に、上記同軸ケーブルに装着されたバランが内蔵されている構成とすることもできる。
【００１１】
上記構成では、同軸ケーブルが１本であるため、バランも１セット設ければよく、複数のアンテナおよび複数の同軸ケーブルを設ける場合と比較して、延伸部の構成も簡易化でき、延伸部の成型の容易化を図ることができる。
【００１２】
本アンテナ装置では、上記信号分離回路は、通信用の周波数帯域の信号を選択的に通過させる通信用回路と、放送用の周波数帯域の信号を選択的に通過させ、かつ増幅する放送用回路とを含む構成とすることもできる。
【００１３】
上記構成によれば、通信用信号（例えば、ＬＴＥ信号）および放送用信号（ＤＡＢ信号）の双方に対応できるアンテナ装置を実現することができる。
【００１４】
本アンテナ装置では、上記信号分離回路は、第１放送用の周波数帯域の信号を選択的に通過させ、かつ増幅する第１放送用回路と、第２放送用の周波数帯域の信号を選択的に通過させ、かつ増幅する第２放送用回路とを含む構成とすることもできる。
【００１５】
上記構成によれば、第１放送用信号（例えば、ＦＭ信号）および第２放送用信号（例えば、ＡＭ信号）の双方に対応できるアンテナ装置を実現することができる。
【００１６】
本アンテナ装置では、上記通信用回路および他装置の接続と、上記放送用回路および他装置の接続とが１本の中継ケーブルで行われる構成とすることもできる。
【００１７】
上記構成によれば、アンテナ装置と他装置との接続が容易になる。
【００１８】
本アンテナ装置では、上記第１放送用回路および他装置の接続と、上記第２放送用回路および他装置の接続とが１本の中継ケーブルで行われる構成とすることもできる。
【００１９】
上記構成によれば、アンテナ装置と他装置との接続が容易になる。
【００２０】
本アンテナ装置では、上記信号分離回路は、通信用の周波数帯域の信号を選択的に通過させる通信用回路と、第１放送用の周波数帯域の信号を選択的に通過させ、かつ増幅する第１放送用回路と、第２放送用の周波数帯域の信号を選択的に通過させ、かつ増幅する第２放送用回路とを含む構成とすることもできる。
【００２１】
上記構成によれば、通信用信号（例えば、ＬＴＥ信号）並びに第１放送用信号（例えば、ＦＭ信号）および第２放送用信号（例えば、ＡＭ信号）の双方に対応できるアンテナ装置を実現することができる。
【００２２】
本アンテナ装置では、上記通信用回路および他装置の接続と、上記第１放送用回路および他装置の接続と、上記第２放送用回路および他装置の接続とが１本の中継ケーブルで行われる構成とすることもできる。
【００２３】
上記構成によれば、アンテナ装置と他装置との接続が容易になる。
【００２４】
本アンテナ装置では、上記通信用回路および他装置の接続が１本の中継ケーブルで行われ、上記第１放送用回路および他装置の接続と、上記第２放送用回路および他装置の接続とが別の１本の中継ケーブルで行われる構成とすることもできる。
【００２５】
上記構成によれば、中継ケーブルからの通信用信号（アンテナからの信号とは逆向きの信号）が上記第１および第２放送用回路に悪影響を及ぼすことを防ぐことができる。
【００２６】
本アンテナ装置では、上記放送用回路は、上記１本の中継ケーブルからの放送用の周波数帯域以外の信号を遮断する構成とすることもできる。
【００２７】
上記構成によれば、中継ケーブルからの通信用信号（アンテナからの信号とは逆向きの信号）が上記放送用回路に悪影響を及ぼすことを防ぐことができる。
【００２８】
本アンテナ装置では、上記第１放送用回路は、上記１本の中継ケーブルからの第１放送用の周波数帯域以外の信号を遮断し、上記第２放送用回路は、上記１本の中継ケーブルからの第２放送用の周波数帯域以外の信号を遮断する構成とすることもできる。
【００２９】
上記構成によれば、中継ケーブルからの通信用信号（アンテナからの信号とは逆向きの信号）が上記第１および第２放送用回路に悪影響を及ぼすことを防ぐことができる。
【００３０】
本アンテナ装置では、上記通信用回路はフィルタ回路を含み、上記放送用回路はフィルタ回路とアンプ回路とを含む構成とすることもできる。
【００３１】
上記構成によれば、上記通信用回路および放送用回路を簡易に構成することができる。
【００３２】
本アンテナ装置では、上記放送用回路は、アンプ回路と、アンプ回路の前段に設けられたフィルタ回路と、アンプ回路の後段に設けられたフィルタ回路とを含む構成とすることもできる。
【００３３】
上記構成によれば、上記通信用回路と、中継ケーブルからの通信用信号の悪影響を防ぐ機能をもつ放送用回路（防止）とを簡易に構成することができる。
【００３４】
本アンテナ装置では、上記通信用回路には、上記アンテナからの下り方向とアンテナに向けての上り方向との双方向の入力が行われる構成とすることもできる。
【００３５】
上記構成によれば、アンテナ装置を双方向通信に利用することができる。
【００３６】
本アンテナ装置では、上記信号分離回路は、上記化粧板と別体である構成とすることもできる。
【００３７】
上記構成によれば、化粧板の構成を簡易化することができる。
【００３８】
本アンテナ装置では、上記複数の周波数帯域の１つはＡＭ放送の周波数帯域である構成とすることもできる。
【００３９】
ＡＭ放送は低周波数帯域であって、アンテナ面積を必要とするため、各周波数帯域あたりのアンテナ面積が広がるという本アンテナ装置のメリットが奏功する。
【発明の効果】
【００４０】
本発明によれば、複数の周波数帯域への対応を可能としつつ、板状部分の構成の簡易化を図ることができる。
【図面の簡単な説明】
【００４１】
【図１】本アンテナ装置を取り付ける車両の外観を示す斜視図である。
【図２】図１に示す車両のドアの構成を示す平面図である。
【図３】（ａ）および（ｂ）は、本アンテナ装置の構成図である。
【図４】（ａ）〜（ｃ）は、実施の形態１のアンテナ装置の構成を示す構成図である。
【図５】（ａ）〜（ｃ）は、実施の形態１のアンテナ装置の別構成を示す構成図である。
【図６】（ａ）〜（ｄ）は、実施の形態２のアンテナ装置の構成を示す構成図である。
【図７】（ａ）〜（ｄ）は、実施の形態２のアンテナ装置の別構成を示す構成図である。
【図８】（ａ）〜（ｄ）は、実施の形態２のアンテナ装置のさらなる別構成を示す構成図である。
【図９】（ａ）〜（ｄ）は、実施の形態３のアンテナ装置の構成を示す構成図である。
【図１０】（ａ）〜（ｄ）は、実施の形態３のアンテナ装置の別構成を示す構成図である。
【図１１】（ａ）〜（ｄ）は、実施の形態３のアンテナ装置のさらなる別構成を示す構成図である。
【図１２】（ａ）〜（ｃ）は、実施の形態４のアンテナ装置の構成を示す構成図である。
【図１３】（ａ）〜（ｃ）は、実施の形態４のアンテナ装置の別構成を示す構成図である。
【図１４】（ａ）〜（ｃ）は、実施の形態４のアンテナ装置のさらなる別構成を示す構成図である。
【図１５】（ａ）〜（ｃ）は、実施の形態５のアンテナ装置の構成を示す構成図である。
【発明を実施するための形態】
【００４２】
図１〜図１５に基づいて、本発明の実施の形態を説明する。以下の説明では、車両の上下方向（天地方向）に対応する方向（図１のｚ軸方向）を「上下方向」と称する。
【００４３】
図１は、本アンテナ装置を取り付ける車両３０の外観を示す斜視図であり、図２は、図１のドア３１の構成を示す平面図である。図１および図２に示すように、車両３０のドア３１は、ドアボディ３５と、ドアボディ３５の上部に配された窓枠３６と、窓枠３６に収められた窓ガラス３９と、窓枠３６のピラー（縦柱）３６ｐに装着された化粧板２とを備える。化粧板２は、板状部分２ａと、板状部分２ａの下端から下方向（地面方向）に伸び、板状部分２ａよりも厚みの大きな延伸部分２ｂとを含む。板状部分２ａはピラー３６ｐの車外側に取り付けられ、このとき延伸部分２ｂはドアボディ３５内に収められる。すなわち、板状部分２ａは露出部分、延伸部分２ｂは非露出部分となる。
【００４４】
図３（ａ）および図３（ｂ）は、本アンテナ装置の構成図である。図２および図３に示すように、アンテナ装置１０は、窓枠３６に装着される化粧板２と、互いに異なる複数の周波数帯域を動作帯域とするアンテナであって、化粧板２の板状部分２ａに内蔵されるアンテナ３と、上記複数の周波数帯域の信号の共通伝送路である１本の同軸ケーブルであって、少なくとも一部が板状部分２ａに内蔵される同軸ケーブル４と、同軸ケーブル４からの複数の周波数帯域の信号を互いに周波数帯域の異なる２以上の信号に分離する信号分離回路であって、図３（ａ）のように、化粧板２と別体であるか、又は、図３（ｂ）のように、化粧板２の板状部分２ａ以外の部分である延伸部分２ｂに内蔵されている信号分離回路５とを備え、化粧板２の延伸部分２ｂに、同軸ケーブル４に装着されたバラン(Balun)６が内蔵されている。バラン６は、平衡−不平衡変換器として機能し、同軸ケーブル４がアンテナ特性に与える影響を小さくする。バラン６には、例えばフェライト素子が用いられる。
【００４５】
ここで、アンテナ３、同軸ケーブル４、およびバラン６は化粧板２に一体成型される。また、上記複数の周波数帯域とは、例えば、ＬＴＥ（Long Term Evolution）用の周波数帯域およびＤＡＢ(Digital Audio Broadcast)用の周波数帯域であったり、ＬＴＥ用の周波数帯域並びにＡＭ放送用の周波数帯域およびＦＭ放送用の周波数帯域であったりする。
【００４６】
アンテナ装置１０の効果として、以下のものを挙げることができる。
【００４７】
まず、アンテナ３および同軸ケーブル４が１つずつで済むため、複数の周波数帯域への対応を可能としながら、複数のアンテナおよび複数の同軸ケーブルを設ける場合と比較して、板状部分２ａの構成の簡易化を図ることができる。これにより、板状部分２ａの成型およびその自動化が容易になる。なお、板状部分２ａは化粧板２の露出部分であるため、美観が要求される。板状部分２ａの構成が複雑になると、美観を損ねたり、美観を損ねずに成型（自動成型）するのが難しくなったりする。
【００４８】
また、同軸ケーブル４が１本であるため、バラン６も１セット設ければよく、上記の場合と比較して、延伸部分２ｂの構成も簡易化でき、延伸部分２ｂの成型の容易化を図ることができる。
【００４９】
さらに、１つのアンテナ３を複数の周波数帯域で共通して用いるため、各周波数帯域あたりのアンテナ面積が広がり、上記の場合と比較して、各周波数帯域（特に、ＡＭ放送等の低周波帯域）で感度を上げることができる。
【００５０】
〔実施の形態１〕
図４（ａ）は実施の形態１のアンテナ装置１０の構成図であり、図４（ｂ）および図４（ｃ）は、図４（ａ）の信号分離回路５の構成例を示す回路図である。図４のアンテナ３は、ＬＴＥ用の周波数帯域およびＤＡＢ用の周波数帯域を動作帯域とし、図４の信号分離回路５は化粧板２と別体とされる。
【００５１】
図４（ａ）に示すように、信号分離回路５は、ＬＴＥ用の周波数帯域の信号を選択的に通過させる通信用回路５ａと、ＤＡＢ用の周波数帯域の信号を選択的に通過させ、かつ増幅する放送用回路５ｂとを含み、通信用回路５ａは、中継ケーブル１１ｘを介して他装置２１（例えば、ＬＴＥ用チューナ）に接続され、放送用回路５ｂは、中継ケーブル１１ｙを介して他装置２２（例えば、ＤＡＢ用チューナ）に接続される。中継ケーブル１１ｘ・１１ｙは、同軸ケーブルである。
【００５２】
図４（ｂ）の例では、通信用回路５ａはハイパスフィルタ５ｘを含み、放送用回路５ｂは、アンプ５ｇと、その前段（アンプ５ｇの入力側）に配されるローパスフィルタ５ｚを含む。そして、同軸ケーブル４と中継ケーブル１１ｘとがハイパスフィルタ５ｘを介して接続され、同軸ケーブル４とアンプ５ｇの入力端とがローパスフィルタ５ｚを介して接続され、アンプ５ｇの出力端が中継ケーブル１１ｙに接続される。
【００５３】
これにより、アンテナ３で受信されたＬＴＥ信号は、同軸ケーブル４からハイパスフィルタ５ｘを通って（ローパスフィルタ５ｚで遮断され）、中継ケーブル１１ｘに送られ、他装置２１に至る。また、他装置２１からのＬＴＥ信号は、中継ケーブル１１ｘ、ハイパスフィルタ５ｘおよび同軸ケーブル４を介してアンテナ３から発信される。一方、アンテナ３で受信されたＤＡＢ信号は、ローパスフィルタ５ｚを通って（ハイパスフィルタ５ｘで遮断され）、アンプ５ｇで増幅されて中継ケーブル１１ｙに送られ、他装置２２に至る。なお、図４（ｃ）に示すように、放送用回路５ｂに、ローパスフィルタとアンプの機能を併せもつローパスフィルタアンプ５ｚｇを設けてもよい。
【００５４】
図４のアンテナ装置１０によれば、ＬＴＥ信号およびＤＡＢ信号に対応可能なアンテナ装置を実現することができる。
【００５５】
図４では、信号分離回路５は化粧板２と別体とされているがこれに限定されない。図５（ａ）は実施の形態１のアンテナ装置１０の別構成図であり、図５（ｂ）および図５（ｃ）は、図５（ａ）の信号分離回路５の構成例を示す回路図である。図５のアンテナ３は、ＬＴＥ用の周波数帯域およびＤＡＢ用の周波数帯域を動作帯域とし、図５の信号分離回路５は、化粧板２の延伸部分２ｂ（板状部分２ａ以外の部分）に内蔵されている。
【００５６】
なお、通信用回路５ａと同軸ケーブル４および中継ケーブル１１ｘとの接続関係、放送用回路５ｂと同軸ケーブル４および中継ケーブル１１ｙとの接続関係、通信用回路５ａおよび放送用回路５ｂそれぞれの構成は、図４（ｂ）および図４（ｃ）と同じである。
【００５７】
図５のアンテナ装置１０によれば、信号分離回路５が化粧板２に内蔵されるため、分離されたＬＴＥ信号およびＤＡＢ信号を化粧板２から直接引き出せる。これにより、信号分離回路５を別途設置する工程を省くことができる。
【００５８】
〔実施の形態２〕
図６（ａ）は実施の形態２のアンテナ装置１０の構成図であり、図６（ｂ）〜図６（ｄ）は、図６（ａ）の信号分離回路５の構成例を示す回路図である。図６のアンテナ３は、ＬＴＥ用の周波数帯域およびＤＡＢ用の周波数帯域を動作帯域とし、図６の信号分離回路５は化粧板２と別体とされる。
【００５９】
図６（ａ）に示すように、信号分離回路５は、ＬＴＥ用の周波数帯域の信号を選択的に通過させる通信用回路５ａと、ＤＡＢ用の周波数帯域の信号を選択的に通過させ、かつ増幅する放送用回路５ｂとを含み、通信用回路５ａおよび放送用回路５ｂそれぞれが、中継ケーブル１２を介して他装置２３（例えば、ＬＴＥ用／ＤＡＢ用チューナ）に接続される。中継ケーブル１２は、１本の同軸ケーブルである。
【００６０】
図６（ｂ）の例では、通信用回路５ａはハイパスフィルタ５ｘを含み、放送用回路５ｂは、アンプ５ｇと、その前段（アンプ５ｇの入力側）に配されるローパスフィルタ５ｚを含む。そして、同軸ケーブル４と中継ケーブル１２とがハイパスフィルタ５ｘを介して接続され、同軸ケーブル４とアンプ５ｇの入力端とがローパスフィルタ５ｚを介して接続され、アンプ５ｇの出力端が中継ケーブル１２に接続される。
【００６１】
これにより、アンテナ３で受信されたＬＴＥ信号は、同軸ケーブル４からハイパスフィルタ５ｘを通って（ローパスフィルタ５ｚで遮断され）、中継ケーブル１２に送られ、他装置２３に至る。また、他装置２３からのＬＴＥ信号は、中継ケーブル１２、ハイパスフィルタ５ｘおよび同軸ケーブル４を介してアンテナ３から発信される。一方、アンテナ３で受信されたＤＡＢ信号は、ローパスフィルタ５ｚを通って（ハイパスフィルタ５ｘで遮断され）、アンプ５ｇで増幅されて中継ケーブル１２に送られ、他装置２３に至る。
【００６２】
図６のアンテナ装置１０によれば、中継ケーブル１２が１本で済み、他装置２３との接続工程が容易というメリットがある。なお、中継ケーブル１２にはＬＴＥ信号およびＤＡＢ信号それぞれが送られるが、アンプ５ｇによって両者の振幅が異なるため、両者の分離状態に問題が起こることはない。
【００６３】
なお、図６（ｃ）のように、アンプ５ｇの出力端と中継ケーブル１２との間に、中継ケーブル１２からのＬＴＥ信号を遮断するローパスフィルタ５Ｚを設けることで、中継ケーブル１２からのＬＴＥ信号がアンプ５ｇの作用に悪影響を与えないようにすることができる。
【００６４】
また、図６（ｄ）に示すように、放送用回路５ｂに、ローパスフィルタとアンプの機能を併せもつローパスフィルタアンプ５ｚｇを設けてもよい。
【００６５】
図６では、信号分離回路５は化粧板２と別体とされているがこれに限定されない。図７（ａ）は実施の形態２のアンテナ装置１０の別構成図であり、図７（ｂ）〜図７（ｄ）は、図７（ａ）の信号分離回路５の構成例を示す回路図である。図７のアンテナ３は、ＬＴＥ用の周波数帯域およびＤＡＢ用の周波数帯域を動作帯域とし、図７の信号分離回路５は、化粧板２の延伸部分２ｂ（板状部分２ａ以外の部分）に内蔵されている。
【００６６】
なお、通信用回路５ａと同軸ケーブル４および中継ケーブル１２との接続関係、放送用回路５ｂと同軸ケーブル４および中継ケーブル１２との接続関係、通信用回路５ａおよび放送用回路５ｂそれぞれの構成は、図６（ｂ）〜図６（ｄ）と同じである。
【００６７】
図７のアンテナ装置１０によれば、信号分離回路５が化粧板２に内蔵されるため、分離されたＬＴＥ信号およびＤＡＢ信号を化粧板２から直接引き出せる。これにより、信号分離回路５を別途設置する工程を省くことができる。
【００６８】
図８（ａ）は実施の形態２のアンテナ装置１０のさらなる別構成図であり、図８（ｂ）〜図８（ｄ）は、図７（ａ）の信号分離回路５の構成例を示す回路図である。図８のアンテナ３は、ＬＴＥ用の周波数帯域およびＤＡＢ用の周波数帯域を動作帯域とし、図８の信号分離回路５は、化粧板２の延伸部分２ｂ（板状部分２ａ以外の部分）に内蔵されている。そして、化粧板２の延伸部分２ｂには、アンテナ３で受信した信号をデジタル信号化するイーサインタフェース８が内蔵されており、デジタル信号化されたＬＴＥ信号およびＤＡＢ信号が、イーサケーブル１３によって他装置２４に送られる。なお、イーサインタフェース８およびイーサケーブル１３は、イーサネット（Ethernet、登録商標）対応の機器である。
【００６９】
なお、通信用回路５ａと同軸ケーブル４およびイーサインタフェース８の入力端との接続関係、放送用回路５ｂと同軸ケーブル４およびイーサインタフェース８の入力端との接続関係、通信用回路５ａおよび放送用回路５ｂそれぞれの構成は、図６（ｂ）〜図６（ｄ）と同じである。
【００７０】
図８のアンテナ装置１０によれば、信号分離回路５およびイーサインタフェース８が化粧板２に内蔵されるため、化粧板２からデジタル信号化されたＬＴＥ信号およびＤＡＢ信号を直接引き出せるというメリットがある。
【００７１】
〔実施の形態３〕
図９（ａ）は実施の形態３のアンテナ装置１０の構成図であり、図９（ｂ）〜図９（ｄ）は、図９（ａ）の信号分離回路５の構成例を示す回路図である。図９のアンテナ３は、ＬＴＥ用の周波数帯域並びにＦＭ放送用の周波数帯域およびＡＭ放送用の周波数帯域を動作帯域とし、図９の信号分離回路５は化粧板２と別体とされる。
【００７２】
図９（ａ）に示すように、信号分離回路５は、ＬＴＥ用の周波数帯域の信号を選択的に通過させる通信用回路５ａと、ＦＭ放送用の周波数帯域の信号を選択的に通過させ、かつ増幅する第１放送用回路５ｃと、ＡＭ放送用の周波数帯域の信号を選択的に通過させ、かつ増幅する第２放送用回路５ｄとを含み、通信用回路５ａ並びに第１放送用回路５ｃおよび第２放送用回路５ｄそれぞれが、中継ケーブル１４を介して他装置２５（例えば、ＬＴＥ用／ＦＭ／ＡＭチューナ）に接続される。中継ケーブル１４は、１本の同軸ケーブルである。
【００７３】
図９（ｂ）の例では、通信用回路５ａはハイパスフィルタ５ｘを含み、第１放送用回路５ｃは、アンプ５ｊと、その前段（アンプ５ｊの入力側）に配されるバンドパスフィルタ５ｙを含み、第２放送用回路５ｄは、アンプ５ｇと、その前段（アンプ５ｇの入力側）に配されるローパスフィルタ５ｚを含む。そして、同軸ケーブル４と中継ケーブル１４とがハイパスフィルタ５ｘを介して接続され、同軸ケーブル４とアンプ５ｊの入力端とがバンドパスフィルタ５ｙを介して接続され、アンプ５ｊの出力端が中継ケーブル１４に接続され、同軸ケーブル４とアンプ５ｇの入力端とがローパスフィルタ５ｚを介して接続され、アンプ５ｇの出力端が中継ケーブル１４に接続される。
【００７４】
これにより、アンテナ３で受信されたＬＴＥ信号は、同軸ケーブル４からハイパスフィルタ５ｘを通って（バンドパスフィルタ５ｙおよびローパスフィルタ５ｚで遮断され）、中継ケーブル１４に送られ、他装置２５に至る。また、他装置２５からのＬＴＥ信号は、中継ケーブル１４、ハイパスフィルタ５ｘおよび同軸ケーブル４を介してアンテナ３から発信される。また、アンテナ３で受信されたＦＭ信号は、バンドパスフィルタ５ｙを通って（ハイパスフィルタ５ｘおよびローパスフィルタ５ｚで遮断され）、アンプ５ｊで増幅されて中継ケーブル１４に送られ、他装置２５に至る。また、アンテナ３で受信されたＡＭ信号は、ローパスフィルタ５ｚを通って（ハイパスフィルタ５ｘおよびバンドパスフィルタ５ｙで遮断され）、アンプ５ｇで増幅されて中継ケーブル１４に送られ、他装置２５に至る。
【００７５】
図９のアンテナ装置１０によれば、ＬＴＥ信号並びにＦＭ信号およびＡＭ信号に対応可能なアンテナ装置を実現することができる。また、中継ケーブル１４が１本で済み、他装置２５との接続工程が容易というメリットがある。なお、中継ケーブル１４にはＬＴＥ信号並びにＦＭ信号およびＡＭ信号それぞれが送られるが、アンプ５ｊおよびアンプ５ｇによってそれぞれの振幅が異なるため、これら信号の分離状態に問題が起こることはない。
【００７６】
なお、図９（ｃ）のように、アンプ５ｊの出力端と中継ケーブル１４との間に、中継ケーブル１４からのＬＴＥ信号を遮断するバンドパスフィルタ５Ｙを設け、アンプ５ｇの出力端と中継ケーブル１４との間に、中継ケーブル１４からのＬＴＥ信号を遮断するローパスフィルタ５Ｚを設けることで、中継ケーブル１４からのＬＴＥ信号がアンプ５ｊおよびアンプ５ｇの作用に悪影響を与えないようにすることができる。
【００７７】
また、図９（ｄ）に示すように、第１放送用回路５ｃに、バンドパスフィルタとアンプの機能を併せもつバンドパスフィルタアンプ５ｙｊを設け、第２放送用回路５ｄに、ローパスフィルタとアンプの機能を併せもつローパスフィルタアンプ５ｚｇを設けてもよい。
【００７８】
図９では、信号分離回路５は化粧板２と別体とされているがこれに限定されない。図１０（ａ）は実施の形態３のアンテナ装置１０の別構成図であり、図１０（ｂ）〜図１０（ｄ）は、図１０（ａ）の信号分離回路５の構成例を示す回路図である。図１０のアンテナ３は、ＬＴＥ用の周波数帯域並びにＦＭ放送用の周波数帯域およびＡＭ放送用の周波数帯域を動作帯域とし、図１０の信号分離回路５は、化粧板２の延伸部分２ｂ（板状部分２ａ以外の部分）に内蔵されている。
【００７９】
なお、通信用回路５ａと同軸ケーブル４および中継ケーブル１４との接続関係、第１放送用回路５ｃと同軸ケーブル４および中継ケーブル１４との接続関係、第２放送用回路５ｄと同軸ケーブル４および中継ケーブル１４との接続関係、通信用回路５ａ並びに第１放送用回路５ｃおよび第２放送用回路５ｄそれぞれの構成は、図９（ｂ）〜図９（ｄ）と同じである。
【００８０】
図１０のアンテナ装置１０によれば、信号分離回路５が化粧板２に内蔵されるため、分離されたＬＴＥ信号並びにＦＭ信号およびＡＭ信号を化粧板２から直接引き出せる。これにより、信号分離回路５を別途設置する工程を省くことができる。
【００８１】
図１１（ａ）は実施の形態３のアンテナ装置１０のさらなる別構成図であり、図１１（ｂ）〜図１１（ｄ）は、図１１（ａ）の信号分離回路５の構成例を示す回路図である。図１１のアンテナ３は、ＬＴＥ用の周波数帯域並びにＦＭ放送用の周波数帯域およびＡＭ放送用の周波数帯域を動作帯域とし、図１１の信号分離回路５は、化粧板２の延伸部分２ｂ（板状部分２ａ以外の部分）に内蔵されている。そして、化粧板２の延伸部分２ｂには、アンテナ３で受信した信号をデジタル信号化するイーサインタフェース８が内蔵されており、デジタル信号化されたＬＴＥ信号並びにＦＭ信号およびＡＭ信号が、イーサケーブル１５によって他装置２６に送られる。
【００８２】
なお、通信用回路５ａと同軸ケーブル４およびイーサインタフェース８の入力端との接続関係、第１放送用回路５ｃと同軸ケーブル４およびイーサインタフェース８の入力端との接続関係、第２放送用回路５ｄと同軸ケーブル４およびイーサインタフェース８の入力端との接続関係、通信用回路５ａ並びに第１放送用回路５ｃおよび第２放送用回路５ｄそれぞれの構成は、図９（ｂ）〜図９（ｄ）と同じである。
【００８３】
図１１のアンテナ装置１０によれば、信号分離回路５およびイーサインタフェース８が化粧板２に内蔵されるため、化粧板２からデジタル信号化されたＬＴＥ信号並びにＦＭ信号およびＡＭ信号を直接引き出せるというメリットがある。
【００８４】
〔実施の形態４〕
図１２（ａ）は実施の形態４のアンテナ装置１０の構成図であり、図１２（ｂ）および図１２（ｃ）は、図１２（ａ）の信号分離回路５の構成例を示す回路図である。図１２のアンテナ３は、ＬＴＥ用の周波数帯域並びにＦＭ放送用の周波数帯域およびＡＭ放送用の周波数帯域を動作帯域とし、図１２の信号分離回路５は化粧板２と別体とされる。
【００８５】
図１２（ａ）に示すように、信号分離回路５は、ＬＴＥ用の周波数帯域の信号を選択的に通過させる通信用回路５ａと、ＦＭ放送用の周波数帯域の信号を選択的に通過させ、かつ増幅する第１放送用回路５ｃと、ＡＭ放送用の周波数帯域の信号を選択的に通過させ、かつ増幅する第２放送用回路５ｄとを含み、通信用回路５ａが中継ケーブル１６ｘを介して他装置２７（例えば、ＬＴＥ用チューナ）に接続され、第１放送用回路５ｃおよび第２放送用回路５ｄそれぞれが、中継ケーブル１６ｙを介して他装置２８（例えば、ＦＭ／ＡＭチューナ）に接続される。中継ケーブル１６ｘおよび中継ケーブル１６ｙは同軸ケーブルである。
【００８６】
図１２（ｂ）の例では、通信用回路５ａはハイパスフィルタ５ｘを含み、第１放送用回路５ｃは、アンプ５ｊと、その前段（アンプ５ｊの入力側）に配されるバンドパスフィルタ５ｙを含み、第２放送用回路５ｄは、アンプ５ｇと、その前段（アンプ５ｇの入力側）に配されるローパスフィルタ５ｚを含む。そして、同軸ケーブル４と中継ケーブル１６ｘとがハイパスフィルタ５ｘを介して接続され、同軸ケーブル４とアンプ５ｊの入力端とがバンドパスフィルタ５ｙを介して接続され、アンプ５ｊの出力端が中継ケーブル１６ｙに接続され、同軸ケーブル４とアンプ５ｇの入力端とがローパスフィルタ５ｚを介して接続され、アンプ５ｇの出力端が中継ケーブル１６ｙに接続される。
【００８７】
これにより、アンテナ３で受信されたＬＴＥ信号は、同軸ケーブル４からハイパスフィルタ５ｘを通って（バンドパスフィルタ５ｙおよびローパスフィルタ５ｚで遮断され）、中継ケーブル１６ｘに送られ、他装置２７に至る。また、他装置２７からのＬＴＥ信号は、中継ケーブル１６ｘ、ハイパスフィルタ５ｘおよび同軸ケーブル４を介してアンテナ３から発信される。また、アンテナ３で受信されたＦＭ信号は、バンドパスフィルタ５ｙを通って（ハイパスフィルタ５ｘおよびローパスフィルタ５ｚで遮断され）、アンプ５ｊで増幅されて中継ケーブル１６ｙに送られ、他装置２８に至る。また、アンテナ３で受信されたＡＭ信号は、ローパスフィルタ５ｚを通って（ハイパスフィルタ５ｘおよびバンドパスフィルタ５ｙで遮断され）、アンプ５ｇで増幅されて中継ケーブル１６ｙに送られ、他装置２８に至る。
【００８８】
図１２のアンテナ装置１０によれば、ＬＴＥ信号並びにＦＭ信号およびＡＭ信号に対応可能なアンテナ装置を実現することができる。また、中継ケーブルを分けて２本（１６ｘおよび１６ｙ）設けることで、ＬＴＥ信号がＦＭ信号およびＡＭ信号に悪影響を及ぼすことを避けることができる。なお、中継ケーブル１６ｙにはＦＭ信号およびＡＭ信号それぞれが送られるが、アンプ５ｊおよびアンプ５ｇによってそれぞれの振幅が異なるため、これら信号の分離状態に問題が起こることはない。
【００８９】
図１２では、信号分離回路５は化粧板２と別体とされているがこれに限定されない。図１３（ａ）は実施の形態４のアンテナ装置１０の別構成図であり、図１３（ｂ）および図１３（ｃ）は、図１３（ａ）の信号分離回路５の構成例を示す回路図である。図１３のアンテナ３は、ＬＴＥ用の周波数帯域並びにＦＭ放送用の周波数帯域およびＡＭ放送用の周波数帯域を動作帯域とし、図１３の信号分離回路５は、化粧板２の延伸部分２ｂ（板状部分２ａ以外の部分）に内蔵されている。
【００９０】
なお、通信用回路５ａと同軸ケーブル４および中継ケーブル１６ｘとの接続関係、第１放送用回路５ｃと同軸ケーブル４および中継ケーブル１６ｙとの接続関係、第２放送用回路５ｄと同軸ケーブル４および中継ケーブル１６ｙとの接続関係、通信用回路５ａ並びに第１放送用回路５ｃおよび第２放送用回路５ｄそれぞれの構成は、図１２（ｂ）および図１２（ｃ）と同じである。
【００９１】
図１３のアンテナ装置１０によれば、信号分離回路５が化粧板２に内蔵されるため、分離されたＬＴＥ信号並びにＦＭ信号およびＡＭ信号を化粧板２から直接引き出せる。これにより、信号分離回路５を別途設置する工程を省くことができる。
【００９２】
図１４（ａ）は実施の形態４のアンテナ装置１０のさらなる別構成図であり、図１４（ｂ）および図１４（ｃ）は、図１４（ａ）の信号分離回路５の構成例を示す回路図である。図１４のアンテナ３は、ＬＴＥ用の周波数帯域並びにＦＭ放送用の周波数帯域およびＡＭ放送用の周波数帯域を動作帯域とし、図１４の信号分離回路５は、化粧板２の延伸部分２ｂ（板状部分２ａ以外の部分）に内蔵されている。そして、化粧板２の延伸部分２ｂには、アンテナ３で受信した信号をデジタル信号化するイーサインタフェース８が内蔵されており、デジタル信号化されたＬＴＥ信号並びにＦＭ信号およびＡＭ信号が、イーサケーブル１７によって他装置２９に送られる。
【００９３】
なお、通信用回路５ａと同軸ケーブル４およびイーサインタフェース８の入力端との接続関係、第１放送用回路５ｃと同軸ケーブル４およびイーサインタフェース８の入力端との接続関係、第２放送用回路５ｄと同軸ケーブル４およびイーサインタフェース８の入力端との接続関係、通信用回路５ａ並びに第１放送用回路５ｃおよび第２放送用回路５ｄそれぞれの構成は、図１２（ｂ）および図１２（ｃ）と同じである。
【００９４】
図１４のアンテナ装置１０によれば、信号分離回路５およびイーサインタフェース８が化粧板２に内蔵されるため、化粧板２からデジタル信号化されたＬＴＥ信号並びにＦＭ信号およびＡＭ信号を直接引き出せるというメリットがある。
【００９５】
〔実施の形態５〕
図１５（ａ）は実施の形態５のアンテナ装置１０の構成図であり、図１５（ｂ）および図１５（ｃ）は、図１５（ａ）の信号分離回路５の構成例を示す回路図である。図１５のアンテナ３は、ＦＭ放送用の周波数帯域およびＡＭ放送用の周波数帯域を動作帯域とし、図１５の信号分離回路５は化粧板２と別体とされる。
【００９６】
図１５（ａ）に示すように、信号分離回路５は、ＦＭ放送用の周波数帯域の信号を選択的に通過させ、かつ増幅する第１放送用回路５ｃと、ＡＭ放送用の周波数帯域の信号を選択的に通過させ、かつ増幅する第２放送用回路５ｄとを含み、第１放送用回路５ｃおよび第２放送用回路５ｄそれぞれが、中継ケーブル１８を介して他装置２８（例えば、ＦＭ／ＡＭチューナ）に接続される。中継ケーブル１８は同軸ケーブルである。
【００９７】
図１５（ｂ）の例では、第１放送用回路５ｃは、アンプ５ｊと、その前段（アンプ５ｊの入力側）に配されるバンドパスフィルタ５ｙを含み、第２放送用回路５ｄは、アンプ５ｇと、その前段（アンプ５ｇの入力側）に配されるローパスフィルタ５ｚを含む。そして、同軸ケーブル４とアンプ５ｊの入力端とがバンドパスフィルタ５ｙを介して接続され、アンプ５ｊの出力端が中継ケーブル１８に接続され、同軸ケーブル４とアンプ５ｇの入力端とがローパスフィルタ５ｚを介して接続され、アンプ５ｇの出力端が中継ケーブル１８に接続される。
【００９８】
これにより、アンテナ３で受信されたＦＭ信号は、バンドパスフィルタ５ｙを通って（ローパスフィルタ５ｚで遮断され）、アンプ５ｊで増幅されて中継ケーブル１８に送られ、他装置２８に至る。また、アンテナ３で受信されたＡＭ信号は、ローパスフィルタ５ｚを通って（バンドパスフィルタ５ｙで遮断され）、アンプ５ｇで増幅されて中継ケーブル１８に送られ、他装置２８に至る。
【００９９】
図１５のアンテナ装置１０によれば、ＦＭ信号およびＡＭ信号に対応可能なアンテナ装置を実現することができる。なお、中継ケーブル１８にはＦＭ信号およびＡＭ信号それぞれが送られるが、アンプ５ｊおよびアンプ５ｇによってそれぞれの振幅が異なるため、これら信号の分離状態に問題が起こることはない。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０１】
本発明は、例えば、車両用のアンテナ装置として利用することができる。
【符号の説明】
【０１０２】
２  化粧板
２ａ  板状部分
２ｂ  延伸部分
３  アンテナ
４  同軸ケーブル
５  信号分離回路
５ａ  通信用回路（例えば、ＬＴＥ用）
５ｂ  放送用回路（例えば、ＤＡＢ用）
５ｃ  第１放送用回路（例えば、ＦＭ用）
５ｄ  第２放送用回路（例えば、ＡＭ用）
５ｇ・５ｊ  アンプ（アンプ回路）
５ｘ  ハイパスフィルタ（フィルタ回路）
５ｙ  バンドパスフィルタ（フィルタ回路）
５ｚ  ローパスフィルタ（フィルタ回路）
６  バラン
８  イーサインターフェース
１１ｘ・１１ｙ・１２・１４・１６ｘ・１６ｙ  １８  中継ケーブル
２１〜２９  他装置
３０  車両
３１  ドア
３５  ドアボディ
３６  窓枠
３６ｐ  ピラー（窓枠の縦柱）
３９  窓ガラス
【図１】
2016111573.tif 000003
【図２】
2016111573.tif 000004
【図３】
2016111573.tif 000005
【図４】
2016111573.tif 000006
【図５】
2016111573.tif 000007
【図６】
2016111573.tif 000008
【図７】
2016111573.tif 000009
【図８】
2016111573.tif 000010
【図９】
2016111573.tif 000011
【図１０】
2016111573.tif 000012
【図１１】
2016111573.tif 000013
【図１２】
2016111573.tif 000014
【図１３】
2016111573.tif 000015
【図１４】
2016111573.tif 000016
【図１５】
2016111573.tif 000017